(57)【要約】【課題】芳香剤又は消臭剤の置き場所を選ばずに容易に変更できるとともに、繰り返し貼着しても貼着面に接着剤が残って汚したり、剥がす際に紙などの弱い貼着面が破れて破損したりすることがない芳香剤又は消臭剤を収納する通気性を有する収納袋を提供する。【解決手段】二重のシートの三辺がシールされ、残り一辺に芳香剤又は消臭剤を挿入するための開口７が設けられた、芳香剤又は消臭剤を収納する通気性を有する袋であって、二重のシートのうち、一方のシートは通気性を有する通気性シート５であり、他方のシートは裏面に貼着面に対向する側の面に貼着面に繰り返し貼着可能な貼着剥離層３が設けられており、貼着剥離層３は、袋２の貼着面に対向する側の面に強粘着糊層が貼着され、この強粘着糊層に接着性を向上させる粗面を有する仕切シート９を介して球状粘着材を使用した再剥離糊層１０が貼着され、この再剥離糊層１０に剥離シート１１が積層されている。【選択図】図１
2011005178.tif 000002
【特許請求の範囲】
【請求項１】
二重のシートの三辺がシールされ、残り一辺に芳香剤又は消臭剤を挿入するための開口が設けられた、芳香剤又は消臭剤を収納する通気性を有する袋であって、
前記二重のシートのうち、一方のシートは通気性を有する通気性シートであり、他方のシートは裏面に貼着面に対向する側の面に貼着面に繰り返し貼着可能な貼着剥離層が設けられており、
前記貼着剥離層は袋の貼着面に対向する側の面に強粘着糊層が貼着され、この強粘着糊層に接着性を向上させる粗面を有する仕切シートを介して球状粘着材を使用した再剥離糊層が貼着され、この再剥離糊層に剥離シートが積層されていることを特徴とする芳香剤又は消臭剤を収納する通気性を有する収納袋。
【請求項２】
前記通気性シートが不織布で形成されていることを特徴とする請求項１に記載の芳香剤又は消臭剤を収納する通気性を有する収納袋。
【請求項３】
前記通気性シートが孔の開いた樹脂シートで形成されていることを特徴とする請求項１に記載の芳香剤又は消臭剤を収納する通気性を有する収納袋。
【請求項４】
前記通気性シートがネットで形成されていることを特徴とする請求項１に記載の芳香剤又は消臭剤を収納する通気性を有する収納袋。
【請求項５】
前記開口にこの開口を塞ぐ蓋が設けられていることを特徴とする請求項１〜４のいずれかに記載の芳香剤又は消臭剤を収納する通気性を有する収納袋。
【発明の詳細な説明】
【技術分野】
【０００１】
本発明は、芳香剤又は消臭剤を収納した収納袋を壁などの貼着面に貼着・剥離が繰り返しできるとともに、収納袋を剥がす際に粘着剤が貼着面に残って汚れることがなく、紙などの弱い貼着面を損傷したりすることのない芳香剤又は消臭剤を収納する通気性を有する収納袋に関する。
【背景技術】
【０００２】
いい香りを漂わせるため芳香剤、あるいはいやな匂いを取るために消臭剤が部屋や車内に置かれている。芳香剤や消臭剤は、袋に入れたり、シート状にしたりして利用されている。
【０００３】
特許文献１には、香料をゼリー状物質又は熱可塑性エラストマー組成物に含有させて得たゼリー状芳香剤を通気性袋に封入してなる芳香袋であって、袋を開封した後に長期間継続して香りを漂わせることができる芳香袋が開示されている。
【０００４】
また、特許文献２には、嵩張らないように芳香族本体を薄型にし、また芳香剤の表面に汚れを付きにくくするとともに、多彩な絵柄と組み合わせて多種多様な芳香剤の香りと絵を楽しむことができる包装体が開示されている。
【０００５】
特許文献３には、芳香剤を含浸定着させた微細な孔からなる多孔質材と多孔質材シートを挟持する取付手段を有する取付シートからなる車用芳香放出具もある。
【０００６】
特許文献４には、通気性を有する包材に消臭剤を封入して屈曲性を持たせたものが記載されている。曲面への固定に対応するために対反発性に優れたテープを使用している。
【先行技術文献】
【特許文献】
【０００７】
【特許文献１】特開２００５−２１５４８号公報
【特許文献２】実用新案登録第３０３３５２３号公報
【特許文献３】特開２００１−１９９８５９号公報
【特許文献４】特開２００８−１４２２４５号公報
【発明の概要】
【発明が解決しようとする課題】
【０００８】
芳香剤は匂いの強さにより、また、消臭剤は脱臭効果の強さにより、置く場所を遠くにしたり、近くにしたりして変更する場合があるが、前記特許文献に記載された芳香剤あるいは消臭剤は、置く場所が限られて所望の個所に置くことができなかったり、壁などに繰り返し貼着することができなかったりしていた。
【０００９】
そこで、本発明は、芳香剤又は消臭剤の置き場所をふすま、障子、家具などの壁面など貼着場所を選ばずに容易に変更できるとともに、繰り返し貼着しても貼着面に接着剤が残って汚したり、剥がす際に紙などの弱い貼着面が破れて破損したりすることがない芳香剤又は消臭剤を収納する通気性を有する収納袋を提供するものである。
【課題を解決するための手段】
【００１０】
本発明の芳香剤又は消臭剤を収納する通気性を有する収納袋は、二重のシートの三辺がシールされ、残り一辺に芳香剤又は消臭剤を挿入するための開口が設けられた、芳香剤又は消臭剤を収納する通気性を有する袋であって、前記二重のシートのうち、一方のシートは通気性を有する通気性シートであり、他方のシートは裏面に貼着面に対向する側の面に貼着面に繰り返し貼着可能な貼着剥離層が設けられており、前記貼着剥離層は袋の貼着面に対向する側の面に強粘着糊層が貼着され、この強粘着糊層に接着性を向上させる粗面を有する仕切シートを介して球状粘着材を使用した再剥離糊層が貼着され、この再剥離糊層に剥離シートが積層されていることを特徴とする。
【００１１】
二重のシートのうち、他方のシートに酸素バリア性を有するシートを使用する。酸素バリア性シートを使用することにより香りやガスが通気性シート以外の部分から透過していくのを防ぐことができる。酸素バリア性シートとしては、ポリビニールアルコール等のビニールアルコール系、ナイロン系、フィルムにシリカを蒸着したもの等の市販されている酸素バリア性シートを利用することができる。
【００１２】
通気性シートには、不織布、孔の開いた樹脂シートあるいはネットで形成される。また、開口には蓋を設けてもよい。
【００１３】
本発明で袋に収納する芳香剤又は消臭剤は、袋の開口から挿入して収納可能なサイズで、貼着面へ貼着後に保持できるものであればよい。
【００１４】
袋は、樹脂シートと通気性シートを重ね、三方をシールし、一方を開放して芳香剤又は消臭剤が出し入れができるように開口が形成される。樹脂シートは、ＰＰ、ＰＥあるいはＰＶＣなどのシートがシールのし易さなどから適している。
【００１５】
通気性シートは、不織布、孔の開いたＰＰ、ＰＥあるいはＰＶＣなどの樹脂シート、ネットを使用する。
【００１６】
袋には貼着面に対向する側の面に貼着面に繰り返し貼着剥離可能な貼着剥離層が設けられる。
【００１７】
貼着剥離層は、強粘着糊層、仕切シート、再剥離糊層、剥離シートで形成される。袋を貼着する強粘着糊層は、収納袋を壁などの貼着面から剥離する際に、袋が強粘着糊層から剥離することのない強い粘着強度を有する強粘着糊、例えば、アクリル系共重合体などの強粘着糊を使用する。袋に再剥離糊層を直接貼着せずに、まず袋を強粘着糊層で貼着することにより、袋の再剥離糊層の貼着不能の不具合が解消されるとともに、袋の材質に限定されることなく再剥離糊層の適用が可能となる。
【００１８】
再剥離糊層は、強粘着糊層に直接重ねて設けようとすると、強粘着糊層と混合されて再剥離の機能が損なわれる。そのため、強粘着糊層と再剥離糊層とは仕切シートを介して積層する。
【００１９】
仕切シートは、紙シートあるいは樹脂フィルムを使用する。仕切シートの表面は再剥離糊層との接着性を向上させるため微細な凹凸により粗面を有する。樹脂シートはコロナ放電などの表面処理により微細な凹凸を形成して再剥離糊層との接着性を向上させて強固に接着する。紙は表面がザラザラした粗面である場合、特に表面処理することなく再剥離糊層を強固に接着可能である。この仕切シートにより、収納袋を貼着面から剥離する際に、再剥離糊層が仕切シートから分離することなく、再剥離糊層は貼着面から容易に剥離可能となる。
【００２０】
再剥離糊は、粒状アクリル系重合体など市販されている公知の再剥離製粘着組成物を使用することができる。共重合体球体は１〜２５０μｍの平均粒径を有している。再剥離糊層により、ガラス、金属、木、タイル、陶磁器、樹脂、紙などの平面あるいは曲面に貼着でき、剥離後には貼着面を汚すことがなく、繰り返し貼着・剥離することができる。また、貼着面がふすま、障子などのような強度のない紙であっても、紙を破ることなく貼着・剥離することができる。
【００２１】
袋の開口は、風などで開いたりして挿入した掲示物が収納袋内でずれたり、収納袋から抜け落ちたり、体裁が崩れないようにするため、蓋を設けてもよい。蓋は、開口の上縁の折曲により開口を塞ぎ且つ裏面側の再剥離糊層に重なり接着されるようにして形成する。再剥離糊層により蓋を繰り返し貼着・剥離することが可能となる。
【発明の効果】
【００２２】
本発明の芳香剤又は消臭剤の収納袋は、再剥離糊層により繰り返し貼着剥離できるので、好みの場所に繰り返し貼り付けることができる。また、剥がした際に貼着糊が貼着面に残って汚したりすることもない。
【００２３】
また、掲示物収納袋を剥離する際にふすまや障子などの弱い貼着面を損傷したりすることもない。
【図面の簡単な説明】
【００２４】
【図１】（ａ）は本発明の収納袋の一実施例を示す斜視図、（ｂ）は（ａ）の縦断面の一部を示す図である。
【図２】本発明の収納袋に芳香シート又は消臭シートを挿入する状態を示す図である。
【図３】本発明の収納袋を壁や下駄箱に貼着した例を示す図である。
【図４】本発明の収納袋の別実施例を示す図である。
【図５】（ａ）は本発明の収納袋に蓋を設けた実施例を示す図、（ｂ）は蓋をした状態を示す断面図である。
【発明を実施するための形態】
【００２５】
本発明を実施例により説明する。
【実施例１】
【００２６】
図１において、収納袋１は、芳香剤あるいは消臭剤を収納する袋２と、その裏面側に設けられた貼着剥離層３により構成される。袋２は重ねられた樹脂シート４と通気性シート５の三方がシールされて矩形に形成される。一辺は開放されて芳香剤又は消臭剤を挿入する開口７が形成される。通気性シート５には多数の通気孔６が設けられている。
【００２７】
壁などの貼着面に対向する、袋２の裏面側の全面には、壁などの貼着面に対して繰り返し貼着と剥離が可能な貼着剥離層３が設けられている。貼着剥離層３は、袋２に貼着するための強粘着糊層８（例えば、リンテック（株）製「ＰＷ糊」）に紙シート９を介して再剥離糊層１０（例えば、リンテック（株）製「リピール」）が積層されている。再剥離糊層１０には剥離シート１１が積層されており、剥離シート１１は、貼着時に剥離して除き、再剥離糊層１０を露出させる。
【００２８】
本実施例では、貼着剥離層３を裏面側の全面に設けているが、袋の大きさにより、図５に示すように、帯状に間隔をおいて形成してもよい。あるいは、枠状に貼着剥離層が形成されるようにしてもよく、貼着剥離層の配置および大きさは適宜決定できる。
【００２９】
本発明の収納袋１は、図２に示すように、開口７からシート状の芳香剤（又は消臭剤）１２を挿入して収納した後、剥離シート１１を剥がし、壁、家具など適宜の貼着面に貼着することができる。図３では、壁１３に芳香剤が収納された収納袋１を貼着し、下駄箱の扉１４の内側に消臭剤が収納された収納袋１を貼着した例である。芳香剤の香りは通気孔６を通して放散され、消臭剤には通気孔６を通して匂いが接触する。
【００３０】
本実施例の収納袋１は、貼着位置を変えたりして繰り返し貼着剥離できるとともに、貼着面を再剥離粘着糊で汚すこともない。
【実施例２】
【００３１】
図４において、図１と同一構成には同一の符号を付してその説明は省略する。
本実施例は、図４に示すように、通気性シートに、シート状のネット１５を使用した例である。
【００３２】
芳香剤の香りはネット１５の網目を通して放散され、消臭剤にはネット１５の網目を通して匂いが接触する。
【実施例３】
【００３３】
図５において、実施例１と同一構成には同一符号を付してその説明は省略する。
【００３４】
本実施例では、開口７を塞ぐ蓋１６を設ける。蓋１６は、開口７の表面側の上辺を裏面側へ折り曲げて裏面側の再剥離糊層１０に重ねて貼着して開口７を塞ぐ。なお、本実施例では、帯状の貼着剥離層３を間隔をおいて設けたものである。
【００３５】
蓋１６で開口７を塞ぐことにより、芳香剤又は消臭剤１２が飛び出したり、風などにより挿入口４が拡がって体裁が悪くなったりするのを防止することができる。
【符号の説明】
【００３６】
１：収納袋          ２：袋 
３：貼着剥離層      ４：樹脂シート
５：通気性シート    ６：通気孔
７：開口            ８：強粘着糊層  
９：紙シート      １０：再剥離糊層
１１：剥離シート    １２：芳香剤（又は消臭剤）
１３：壁            １４：扉
１５：ネット        １６：蓋
【図１】
2011005178.tif 000003
【図２】
2011005178.tif 000004
【図３】
2011005178.tif 000005
【図４】
2011005178.tif 000006
【図５】
2011005178.tif 000007